(57)【要約】【課題】  携帯電話の電池を予備電池用のケースに入れたままで充電できるようにする。【解決手段】  携帯電話の充電式電池３の収納空間１ａを内側に形成するとともに該携帯電話の電池収納部に被せる蓋の嵌合部分と共通の嵌合部分２を周囲に設けた代替蓋１と、該代替蓋１の嵌合部分２が嵌め込めるように対応する嵌合部５を設けるとともに前記代替蓋１に形成した収納空間１ａと一体となって充電式電池３を収納可能とする収納空間６ａを形成したケース６とから成る。  前記ケースの収納空間に臨ませて充電式電池３に備わる接続端子に接続可能に対応させた内部接続端子２７、２８を設けるとともに該ケース６外に露出させて携帯電話専用の充電器に備わる正負２極の充電端子に対して接続可能に対応させた外部充電端子１７，１８を設け、内部接続端子２７、２８と外部充電端子１７，１８とを携帯電話に備わる充電制御回路と同対応の充電制御回路１１を介して接続する。【選択図】      図４
0003105622.tif 000002
【実用新案登録請求の範囲】
【請求項１】
携帯電話の充電式電池の収納空間を内側に形成するとともに該携帯電話の電池収納部に被せる蓋の嵌合部分と共通の嵌合部分を周囲に設けた代替蓋と、該代替蓋の嵌合部分が嵌め込めるように対応する嵌合部を設けるとともに前記代替蓋に形成した収納空間と一体となって充電式電池を収納可能とする収納空間を形成したケースとから成り、
前記ケースにおいて、前記収納空間に臨ませて充電式電池に備わる接続端子に接続可能に対応させた内部接続端子を設けるとともに該ケース外に露出させて携帯電話専用の充電器に備わる正負２極の充電端子に対して接続可能に対応させた外部充電端子を設け、前記内部接続端子と前記外部充電端子とを携帯電話に備わる充電制御回路と同対応の充電制御回路を介して接続したことを特徴とする携帯電話用の充電式携帯予備電池装置。
【請求項２】
ケースの表面に開口させて、携帯電話専用の急速用充電器に備わる正負２極の接続端子に対して接続可能に対応させた正負２極の急速接続端子を設け、該急速接続端子の回路を該ケース内に設けた外部充電端子の正負２極の回路に対応させて接続したことを特徴とする請求項１に記載の携帯電話用の充電式携帯予備電池装置。
【請求項３】
充電している充電式電池の電圧が設定値を越えたら、赤から青に、又は点滅から点灯に、又は赤の点滅又は点灯から消灯に変わるように内部接続端子の回路に接続して制御できるようにした表示ランプを、該ケースの表面に露出させて設けたことを特徴とする請求項１又は２に記載の携帯電話用の充電式携帯予備電池装置。
【考案の詳細な説明】
【技術分野】
【０００１】
本考案は、携帯電話に使用するために携帯する予備電池に関する。
【背景技術】
【０００２】
現在、携帯電話が普及しているが、それらの製品には専用の電池がないと使用できず、また使用している電池の消耗により使用途中で通信不能になることがある。
そこで、できるだけ長時間に使用できる高性能充電池の開発がなされてきたが、いかに高性能となり長時間使用することができたとしても、電池は電力を消耗して充電しないと使用できなくなる。したがって、継続して使用するためには、そろそろ切れそうだと思ったら、早めに充電しておくか又は別に交換用の予備に乾電池を持ち歩くなどの対応をすることが必要となる。
しかし、携帯電話の専用電池は剥き出しで持ち歩くと、電話機本体への接続部などの重要部分を損傷したり、湿気の多い所に入れておくと漏電するおそれもあって、携帯するには適していなかった。
【０００３】
そこで本考案者は先に、携帯するのに適するように専用ケースに納められるようにした携帯電話用携帯予備電池装置（特許文献１参照）の提案を行った。
しかしながら、その装置は、内部に納めた充電済みの電池を消費済み電池と交換したときに、その消費済み電池に対して充電しようとしても、改めて携帯電話に装着しなければ充電させることができず、またその充電中では携帯電話の使用ができないといった難点があった。
【０００４】
さらに、最近では携帯電話専用の急速充電装置が提供されており、その急速充電装置の充電用端子を接続端子に差し込んだままで充電しながら携帯電話が使用できるようになった。そして、その急速充電装置は小型で軽く作られているために携帯しやすく、また電源さえあればそれを使用してどこでも充電して電話が使用できるようになってはいるが、本考案者が提案した上記携帯電話用携帯予備電池装置ではその急速充電装置で充電させることもできなかった。
【特許文献１】実用新案登録第３０８９４０７号
【考案の開示】
【考案が解決しようとする課題】
【０００５】
本考案は、上記実情に鑑みてなされたもので、予備に携帯する携帯電話用電池を、そのまま簡単に携帯電話に入れ替えでき、且つ消費され交換された電池を損傷しないように専用ケースに納めて保管携帯できるようにすることはもとより、その専用ケースに納めたままの状態でもその予備の電池に充電することができるようにすることで、携帯電話を使用中に電池切れを起こしても直ぐに予備の電池が使用できる状態に充電しておくことができる充電式の携帯用の予備電池装置を提供するものである。
【課題を解決するための手段】
【０００６】
上記課題を解決するために、本考案の携帯電話用の充電式携帯予備電池装置は、携帯電話の充電式電池の収納空間を内側に形成するとともに該携帯電話の電池収納部に被せる蓋の嵌合部分と共通の嵌合部分を周囲に設けた代替蓋と、該代替蓋の嵌合部分が嵌め込めるように対応する嵌合部を設けるとともに前記代替蓋に形成した収納空間と一体となって充電式電池を収納可能とする収納空間を形成したケースとから成る。
前記ケースにおいて、前記収納空間に臨ませて充電式電池に備わる接続端子に接続可能に対応させた内部接続端子を設けるとともに該ケース外に露出させて携帯電話専用の充電器に備わる正負２極の充電端子に対して接続可能に対応させた外部充電端子を設け、前記内部接続端子と前記外部充電端子とを携帯電話に備わる充電制御回路と同対応の充電制御回路を介して接続したことを特徴とする。
【０００７】
請求項２に記載の考案は、上記構成において、前記ケースの表面に開口させて、携帯電話専用の急速用充電器に備わる正負２極の接続端子に対して接続可能に対応させた正負２極の急速接続端子を設け、該急速接続端子の回路を該ケース内に設けた外部充電端子の正負２極の回路に対応させて接続したことを特徴とする。
【０００８】
請求項３に記載の考案は、上記構成において、充電している充電式電池の電圧が充電完了の設定値を越えたら、赤から青に、又は点滅から点灯に、又は赤の点滅又は点灯から消灯に変わるように内部接続端子の回路に接続して制御できるようにした表示ランプを、該ケースの表面に露出させて設けたことを特徴とする。
【考案の効果】
【０００９】
本考案は以上の構成であり、ケースを外すだけで予備に携帯した充電式電池を、代替蓋をつけたままで簡単に携帯電話に入れ替えすることができ、またその電池を携帯中は充電した電池の漏電を防ぎつつ損傷しないように保護し、さらに電力消費して交換された電池も収納空間に収納して保護しつつ携帯することができる。
また、代替蓋に納めた充電式電池の接続端子をケース内の内部充電端子に接続しておけば、充電式電池をケース内に入れたままで、その携帯電話の専用充電器に差し込んで充電することが可能となる。
そして、従来では携帯電話に入れて電池に充電しなければならず、このため充電中は携帯電話が使用できなかったが、本考案ではケース内にいれたままで予備電池の充電が可能となったので、電池の充電中であっても携帯電話が自由に使用できる。
また、別に急速用充電器用の接続端子を備えた形態では、携帯電話専用の急速充電アダプターを使用することができる。この急速充電アダプターは卓上ホルダーが不要であるので軽量コンパクトとなるので大変携帯しやすくなり、これを常に携帯していれば、その急速充電アダプターで充電中であっても携帯電話が同時に使用できる。そしてこの形態では急速充電アダプターがＡＣ用の電源の場合と、自動車などのＤＣ用の電源の場合のいずれの電源でも使用できるため、そのような電源がある場所ならばどこででも充電することが可能となる。
なお、表示ランプを設けた形態では、表示ランプの表示で充電が完了したことが一瞥できる。
【考案を実施するための最良の形態】
【００１０】
本考案の携帯電話用の充電式携帯予備電池装置における実施の形態を以下図で説明する。
本考案は、図１の（ロ）と図２の（イ）に示すように、携帯電話の電池収納部に被せる蓋の嵌合部分と共通の嵌合部分２を周囲に設けて、その嵌合部分２を嵌め込んで携帯電話にそのまま装着できるようにした代替蓋１とその代替蓋１に被せるケース６とで構成する。
そして、その代替蓋１には、携帯電話側の充電用の電源接続端子に接続可能に設けられた電池一体型接続端子（図省略）又はコード付の接続端子ソケット４を備えた充電式電池３が収まる収納空間１aを内側に形成する。
【００１１】
また、前記ケース６には、図１の（イ）と図２の（ロ）に示すように、前記代替蓋１の嵌合部分２が嵌め込めるように対応する嵌合部５を設けるとともに前記代替蓋１に形成した収納空間１aと一体となって充電式電池３を収納可能とする収納空間６aを形成する。
そして、図４に示すように、前記収納空間６aに臨ませて充電式電池３に備わる接続端子ソケット４内の接続端子２４，２５，２６に接続可能に対応させた内部接続端子２７，２８，２９を備えた内部接続端子口７を設ける。
また、図４に示すように、そのケース６の外に露出させて携帯電話専用の充電器３０に備わる正負２極の充電端子１５、１６に対して接続可能に対応させた外部充電端子１７，１８を設ける。そして、前記内部接続端子内部接続端子２７，２８，２９と前記外部充電端子１７，１８とを携帯電話に備わる充電制御回路と同対応の充電制御回路１１を介して接続する。
この充電制御回路１１は、ケース６の収納空間６ａと別にケース本体内に回路収納空間２１を形成して、その中に収納する。
この充電制御回路１１の収納方法は、回路収納空間２１の蓋板内側面に予め充電制御回路１１を固定しておいて、回路収納空間２１に蓋板（図省略）を被せてその四隅をネジ止めするなどして、前記回路収納空間２１に充電制御回路１１を固定させて収納することができる。
その場合、衝撃や振動などで回路が直接電池に接触しないように四隅に三角コーナー支持部材（図省略）を装着しておくと良い。
【００１２】
さらに詳しく説明すると、前記コード８付の接続端子ソケット４には、一つのコネクターにまとめた正極の接続端子２４、負極の接続端子２５、充電制御回路の接続端子２６を備える。そして、これに対応させてケース６側には、前記充電制御回路１１に繋がる制御線１３及び正負の２極への充電線１２、１４の先端に一つのコネクターにまとめた正極の接続端子２７、負極の接続端子２８、充電制御回路の接続端子２９を備える。
【００１３】
また、携帯電話専用の充電器３０に備わる正負の２極に充電端子１５、１６に接続できるように、前記ケース６の外部に露出させて外部充電端子１７、１８を設けて、その外部充電端子１７、１８と前記充電制御回路１１とを正負の２本の充電線１９、２０で接続する。
そして、前記ケース６に充電式電池３を入れたままで充電しようとする時には、携帯電話の専用充電器３０を使用して、その専用充電器３０の卓上ホルダー型の接続カセット部に嵌めたり載せたりして、前記ケース６外に露出している外部充電端子１７、１８を専用充電器３０の充電端子１５、１６に接触させる。
その結果、その接続によってコンセント差込による交流電源２３からアダプター部内の交直整流器２２を介して充電式電池３が充電できるようになる。
【００１４】
なお、前記携帯電話の専用充電器３０の充電端子１５、１６の配置はメーカーにより形状が異なるので、前記ケース６の外部に露出させる外部充電端子１７、１８は各メーカーに対応できる形状に形成することが必要である。
例えば、図５の（イ）に示すように、外部接続端子１７、１８がケース６の下部側に相当する短側面に、両側寄りに間隔を開いて設けてある態様は、これに接続させる卓上ホルダー内の接続部分が凹状の底部に外部接続端子１５、１６が上向きに設けてある態様に使用し、また図６の（ロ）に示すように、外部接続端子１７、１８がケース６の下部側の両長側面に設けてある態様は、これに接続させる卓上ホルダー内の接続部分が凹状の内部対向面に外部接続端子１５、１６が内部向きに設けてある態様に使用し、さらに図７の（ハ）に示すように、外部接続端子１７、１８がケース６の凹状の内部対向面に内部向きに設けてある態様は、外部接続端子１５、１６が凹状の底部に設けた凸部の両側に外向きに設けられた態様に使用する。
上記の例のように、ケース６の外部接続端子１７、１８の態様は、各メーカー仕様のアダプター部と卓上ホルダー部とから成る専用充電器３０の卓上ホルダー部の形態に対応した構造にすることができる。
本考案は上記いずれの専用充電器３０の形態においても、携帯電話本体に内臓されているものと同様の充電制御回路１１をケース６内にも組み込むことによって、各種態様の携帯電話専用の充電器３０を使用して、充電式電池３をケース６に納めたままで直接充電することが可能となる。
【００１５】
また、外出先でなどでも手軽に充電できるように、携帯電話専用の急速充電器が使用できる形態が可能である。
この形態では、図８に示すように、上記構造の外部接続端子１５、１６とは別に、急速充電器の端子ソケット３１を差し込んでケース６内の充電式電池３に充電させる形態が可能である。
この形態では、携帯電話専用の急速充電器は、端子ソケット３１に正負２極の急速充電用接続端子３８，３９を有し、その急速充電用接続端子３８，３９が電線３３で差込端子付きの整流器３２に繋いである。
その急送充電器に対応するように、ケース６に、急速充電用接続端子３６，３７を設けて、その端子３６，３７を急速充電用回路３４，３５で前記外部接続端子１５、１６の充電線１９、２０に接続する。
これによって、端子ソケット３１を差し込んで前記急速充電用接続端子３８、３９を前記急速充電用接続端子３６，３７に接続すれば急速充電が可能となる。
なお、前記急速充電用接続端子３６，３７部分を保護するために、その端子が露出している開口部を塞げるように形成した蓋を設けると良い。たとえば、本体とは別にゴムで開口部に嵌合できるように形成した蓋を用いてもよい。
【００１６】
また、図２に示すように、ケース６にはその表面に露出させて充電確認のための表示ランプ４０を設けることもできる。この形態では、表示ランプ４０を表示ランプ用の回路４１ａ、４１ｂにつなぎ、充電している充電式電池３の電圧が設定値を越えたら、赤から青に変わるか又は点滅から点灯に変わるように内部接続端子の回路に表示ランプ４０を表示ランプ用の回路４１ａ、４１ｂを接続して制御できるようにする。こうすれば充電が完了したことが一目でわかるので便利である。
【００１７】
なお、前記代替蓋１とケース６の材質は合成樹脂製などとすると、ある程度の強度と防水性が確保され、収納した電池３が保護されるので好ましい。
また、図３に示すように、ケース６には紐通し孔９を開けて紐１０を着けたり、輪をつけたりすれば、ベルトやバッグなどに吊り下げたりして携帯して持ち運びすることができるようになる。
【００１８】
また、携帯電話の電源接続端子には一体型接続端子（図省略）と端子コード８付の接続端子４（図１の（ロ）及び図２の（イ）に示す）があるが、この部分は携帯電話の種類に適合させたものを使用する。
なお、図３に示すように、ケース６には紐通し孔９を開けて紐１０を着けたり、輪をつけたりすれば、ベルトやバッグなどに吊り下げたりして携帯して持ち運びすることができるようになる。
【産業上の利用可能性】
【００１９】
携帯電話の専用充電器は各メーカーの仕様により形が異なっているが、充電の仕組みは基本的に同じものであるので、本考案では各メーカーの仕様に合ったもの使用することで、どのメーカーの仕様にも対応することが可能である。
【図面の簡単な説明】
【００２０】
【図１】本考案の開いた状態を示す（イ）がケースの、（ロ）が代替蓋の各斜視図である。
【図２】本考案の開いた状態を示す（イ）が代替蓋の、（ロ）がケースの各斜視図である。
【図３】ケースと代替蓋とを閉じた状態を示す斜視図である。
【図４】電池に充電している状態を示す模式的平面図である。
【図５】別の態様の充電器及びそれに対応する本考案の装置の態様を示す模式図である。
【図６】また別の態様の充電器及びそれに対応する本考案の装置の態様を示す模式図である。
【図７】さらに別の態様の充電器及びそれに対応する本考案の装置の態様を示す模式図である。
【図８】急速充電用の装置の態様を示す模式図である。
【符号の説明】
【００２１】
１    代替蓋
１ａ  代替蓋の収納空間
２    嵌合部分
３    充電式電池
４    充電式電池の接続端子ソケット
５    嵌合部
６    ケース
６ａ  ケースの収納空間
７    内部接続端子口
８    接続端子コード
９    紐通し孔
１０    紐
１１    充電制御回路
１２    充電制御回路への制御線
１３    正極への充電線
１４    負極への充電線
１５    充電端子
１６    充電端子
１７    外部充電端子
１８    外部充電端子
１９    充電線
２０    充電線
２１    回路収納空間
２２    交直整流器
２３    交流電源
２４    正極の接続端子
２５    負極の接続端子
２６    充電制御回路の接続端子
２７    正極の接続端子
２８    負極の接続端子
２９    充電制御回路の接続端子
３０    専用充電器
３１    急速充電器の端子ソケット
３２    整流器
３３    電線
３４    急速充電用回路
３５    急速充電用回路
３６    急速充電用接続端子
３７    急速充電用接続端子
３８    急速充電用接続端子
３９    急速充電用接続端子
４０    表示ランプ
４１ａ  表示ランプ用の回路
４１ｂ  表示ランプ用の回路
【図１】
0003105622.tif 000003
【図２】
0003105622.tif 000004
【図３】
0003105622.tif 000005
【図４】
0003105622.tif 000006
【図５】
0003105622.tif 000007
【図６】
0003105622.tif 000008
【図７】
0003105622.tif 000009
【図８】
0003105622.tif 000010